(57)【要約】【課題】簡単に取付けられ、また、容易に微調整ができるとともに、取り外すことも容易な造作材の取付構造を提供する。【解決手段】造作材２と、この造作材２を建物の垂直面に取付ける支持部材１とからなる造作材の取付構造において、該支持部材１は側断面略平行四辺形状とされ、鋭角突出部１１を室内側に斜め上向きにして上記垂直面に固定されるとともに、上記造作材２の裏面には上記支持部材１と嵌合する側断面略平行四辺形状の溝部２１が凹設されたことを特徴とする造作材の取付構造。【選択図】図２
2005127038.tif 000002
【特許請求の範囲】
【請求項１】
造作材と、この造作材を建物垂直面に取付ける支持部材とからなる造作材の取付構造において、該支持部材は側断面略平行四辺形状とされ、鋭角突出部を室内側に斜め上向きにして上記垂直面に固定されるとともに、上記造作材の裏面には上記支持部材と嵌合する側断面略平行四辺形状の溝部が凹設されたことを特徴とする造作材の取付構造。
【請求項２】
上記溝部は、その高さ方向の溝幅が上記支持部材の高さ方向の幅よりも大きくされた請求項１に記載の造作材の取付構造。
【請求項３】
上記支持部材の長さを造作材の長さと略同等とするとともに、該造作材がその長さ方向の全長に亘って上記支持部材によって支持された請求項１に記載の造作材の取付構造。
【請求項４】
上記造作材を長押しとするとともに、木質系材料から構成された請求項１に記載の造作材の取付構造。
【発明の詳細な説明】
【技術分野】
【０００１】
本発明は、造作材の取付構造に関する。さらに詳しくは、内法長押し、腰長押し等の造作材を、主として装飾用に、壁面または柱等、建物の垂直面に取付ける造作材の取付構造に関する。
【背景技術】
【０００２】
従来、上記造作材の取付構造としては、図３に示すように、鋭利な尖端部４１を備えた固定具４を壁面や柱等に固定し、図４の側断面図に示すように、造作材５の裏面に設けられた凹部５１に上記固定具４を嵌入するとともに、造作材５を押圧して上記尖端部４１を造作材５の凹部５１の天井部５１１に打ち込み、固定する技術が知られている。
【特許文献１】実開平１−１１２２３７号公報（第１頁、第１図、第２図）
【特許文献２】実開昭６１−６２１４２号公報（第１頁、第１図、第２図）
【発明の開示】
【発明が解決しようとする課題】
【０００３】
しかしながら、上記技術においては、一旦造作材５を固定具４の尖端部４１に打ち込むと取り外しが困難となるため、取付け後の微調整がし難く、また、尖端部４１の打ち込みを緩くすると容易に外れるという問題がある。本発明はこのような状況の下で考え出されたものであって、簡単に取付けられ、また、容易に微調整ができるとともに、取り外しも容易な造作材の取付構造を提供することを、その課題とする。
【課題を解決するための手段】
【０００４】
上記課題を解決するために、本発明においては、つぎのような技術的手段が講じられている。すなわち、本発明によれば、造作材と、この造作材を建物垂直面に取付ける支持部材とからなる造作材の取付構造において、該支持部材は側断面略平行四辺形状とされ、鋭角突出部を室内側に斜め上向きにして上記垂直面に固定されるとともに、上記造作材の裏面には上記支持部材と嵌合する側断面略平行四辺形状の溝部が凹設されたことを特徴とする造作材の取付構造が提供される。
【０００５】
上記溝部は、その高さ方向の溝幅が上記支持部材の高さ方向の幅よりも大きくすることが好ましい。また、上記支持部材の長さを造作材の長さと略同等とするとともに、該造作材がその長さ方向全長に亘って上記支持部材によって支持されることが好ましい。
【０００６】
上記造作材を長押しとするとともに、木質系材料から構成することが好ましい。長押しを構成する材料としてはとくに限定されず、合成樹脂成形品、木質系材料等が用いられるが、木質系材料が天然の風合いを有し、暖かい感じを与えることから好ましく用いられる。
【発明の効果】
【０００７】
請求項１に記載の発明は上記のとおりであり、とくに、該支持部材は側断面略平行四辺形状とされ、鋭角突出部を室内側に斜め上向きにして建物の垂直面に固定され、上記造作材の裏面には上記支持部材と嵌合する側断面略平行四辺形状の溝部が凹設されているため、長押しと支持部材とが容易に嵌合し、嵌合後は横方向の移動を規制するとともに、高さの微調整等が必要な場合、容易に取外すことができる。
【０００８】
上記溝部は、その高さ方向の溝幅が上記支持部材の高さ方向の幅よりも大きくされているため、長押しと支持部材との嵌合をさらに容易に行なうことができ、また、取外すときは、一度上方向に移動し、その後横方向に移動することによって簡単に嵌合を解除することができる。
【０００９】
上記支持部材の長さを造作材の長さと略同等とするとともに、該造作材がその長さ方向全長に亘って上記支持部材によって支持されるため、例えば、造作材を腰長押しとした場合、しっかりと壁面等の垂直面に取付けられ、単なる装飾用のみならず、手摺り等の実用的な手段として利用することができる。
【００１０】
上記造作材を長押しとするとともに、木質系材料から構成されるため、木質系材料の有する天然木調の風合いが暖かい装飾感を与え、意匠性に優れたものとなる。
【発明を実施するための最良の形態】
【００１１】
以下、本発明の実施形態について図面を参照して、詳細に説明する。図１は、本発明にかかる造作材の取付構造を示す分解斜視図である。図１において、造作材２としての長押しを取付ける支持部材１は、側断面略平行四辺形状とされ、その鋭角突出部１１を室内側に斜め上向きにして建物の壁面３にビスＢ等の固定手段によって固定される。一方、長押しの裏面には上記支持部材１と嵌合する溝部２１が凹設されるとともに、溝部２１の上隅は係合部２１１とされ、この係合部２１１と上記鋭角突出部１１とが係合することによって、長押しが壁面３にしっかりと取付けられる。
【００１２】
このとき、図２の側断面図によく示されているように、上記溝部２１の高さ方向の溝幅は、支持部材１の高さ方向の幅よりも若干大きくされている。このようにすることによって、長押しを支持部材１に取付ける際は、容易に嵌合し、嵌合した後は、上記鋭角突出部１１が係合部２１１に食い込んで横方向の移動を規制するとともに、高さの微調整等のために取外す時は、容易に嵌合を解除することができる。すなわち、取外すときは、図２の矢印に示すように、一度上に移動し、その後横方向に移動することによって容易に嵌合を解除することができる。
【００１３】
図１、図２に示した形態は、長押しの長さ方向に沿って、支持部材１を間隔をおいて配置し、１本の長押しを数個の支持部材１で分散して支持する形態を示したが、支持部材１そのものを長押しと同等の長さとし、１本の支持部材１で長押しを支持してもよい。例えば、長押しを腰長押しとした場合、腰長押しがしっかりと壁面３に取付けられるため、単なる装飾用のみならず、手摺り等の実用的な手段として利用することができる。
【図面の簡単な説明】
【００１４】
【図１】本発明にかかる造作材の取付構造を示す分解斜視図である。
【図２】本発明にかかる造作材の取付構造を示す側断面図である。
【図３】公知の造作材の固定具を示す斜視図である。
【図４】公知の造作材の取付構造を示す側断面図である。
【符号の説明】
【００１５】
１          支持部材
１１        上記の鋭角突出部
２          造作材
２１        上記に内設された溝部
２１１      上記に内設された係合部
３          壁面
４          公知の造作材の固定具
４１        上記の尖端部
５          公知の造作材
５１        上記に内設された凹部
５１１      上記の天井部
Ｂ          固定用ビス
【図１】
2005127038.tif 000003
【図２】
2005127038.tif 000004
【図３】
2005127038.tif 000005
【図４】
2005127038.tif 000006